(57)【要約】【課題】整形後に液晶パネルから突出するリード線の長さを一定にするとともに、リード線を断線から保護する。【解決手段】電気機器は、リード線3、3を具えた液晶パネル40上に、保護シート1を設けている。該保護シート1上にリード線通過部を形成し、リード線3は保護シート1の第２切欠き14のエッジに当接してからリード線通過部を通過して延びている。リード線3、3は液晶パネル40の幅方向の両側に設けられ、リード線通過部は保護シート1上にて液晶パネル40の幅方向の中央部に形成されている。【選択図】  図２
2006115372.tif 000002
【特許請求の範囲】
【請求項１】
リード線(３)(３)を具えたデバイス上に保護シート(１)を設け、該保護シート(１)上にリード線通過部を形成し、リード線(３)は保護シート(１)のエッジに当接してからリード線通過部を通過して延びていることを特徴とする電気機器。
【請求項２】
リード線(３)(３)はデバイスの幅方向の両側に設けられ、リード線通過部は保護シート(１)上にてデバイス幅方向の中央部に形成されている請求項１に記載の電気機器。
【請求項３】
保護シート(１)はリード線通過部を形成した第１片(10)と該第１片(10)に繋がった第２片(11)とから構成され、第１片(10)は第２片(11)から曲げ起こし可能であり、第１片(10)及び第２片(11)はデバイス上に貼り付けられる請求項１又は２に記載の電気機器。
【請求項４】
デバイスは液晶パネル(40)であり、リード線通過部は保護シート(１)上に開設されたスリット(12)である請求項１乃至３の何れかに記載の電気機器。
【請求項５】
幅方向の両側にリード線(３)を具えたデバイス上に、リード線通過部を形成した第１片(10)と該第１片(10)に繋がった第２片(11)とから構成された保護シート(１)を配備し、第１片(10)を第２片(11)から曲げ起こす工程と、
保護シート(１)の第２片(11)をデバイス上に貼り付ける工程と、
保護シート(１)の第２片(11)のエッジにリード線(３)を当接させてから、リード線(３)の先端部をリード線通過部に通す工程と、
第１片(10)をデバイス上に貼り付けて、リード線(３)をデバイス上に貼り付ける工程を有するリード線の整形方法。
【発明の詳細な説明】
【技術分野】
【０００１】
本発明は、リード線を具えた電気機器及びリード線の整形方法に関し、具体的には液晶パネルを具えたデジタルカメラに関する。
【背景技術】
【０００２】
斯種デジタルカメラには、撮像した画像を見る為のデバイスとして液晶パネル(40)を設けていることが多い。出願人も以前、図６に示す液晶パネル(40)を具えたデジタルカメラを提案している(例えば、特許文献１参照)。これは、カメラのキャビネットを構成するキャビネット半体(21)上に、液晶パネル(40)が嵌まる透孔(22)を設けている。液晶パネル(40)は幅方向の両側から夫々リード線(３)(３)を延ばしており、枠体(41)に取り付けられる。液晶パネル(40)は両側から突出した突起(42)(42)が枠体(41)の側面に開設された孔(43)に嵌まって位置決めされる。液晶パネル(40)を取り付けた枠体(41)が回路基板(５)上に取り付けられる。
リード線(３)が不用意に動いて、回路基板(５)の表面に当接すると、回路基板(５)にノイズが飛び込む虞れがある。また、回路基板(５)が使用中に熱くなる場合にリード線(３)が不用意に動いて回路基板(５)の表面に当接すると、リード線(３)が溶けるから、リード線(３)が不用意に動かないように整形する必要がある。
【０００３】
【特許文献１】特開２００３−１８９１４４号公報
【発明の開示】
【発明が解決しようとする課題】
【０００４】
リード線(３)を整形する手段には、従来からラグ等、種々のものがある。しかし、整形後に液晶パネル(40)から突出するリード線(３)の長さにバラ付きがあると、リード線(３)の先端部を他の回路部品に取り付ける際の作業性が悪くなる。また、一般に枠体(41)は金属製であるが、リード線(３)が枠体(41)のエッジに当たって、断線することを防ぐ必要もある。
本発明の目的は、整形後にデバイスから突出するリード線(３)の長さを一定にするとともに、リード線(３)を断線から保護することにある。
【課題を解決するための手段】
【０００５】
リード線(３)(３)を具えたデバイス上に、保護シート(１)を設け、該保護シート(１)上にリード線通過部を形成し、リード線(３)は保護シート(１)のエッジに当接してからリード線通過部を通過して延びている。
リード線(３)(３)はデバイスの幅方向の両側に設けられ、リード線通過部は保護シート(１)上にてデバイス幅方向の中央部に形成されている。
【発明の効果】
【０００６】
１．リード線(３)は保護シート(１)のエッジに当接してから、リード線通過部を通過している。従って、従来のようにリード線(３)が枠体(41)のエッジに当接せず、リード線(３)が断線する虞れはない。
２．リード線(３)がリード線通過部を通過して延びているから、デバイス、具体的には液晶パネル(40)から突出するリード線(３)の長さは略一定となる。特に、リード線(３)(３)がデバイスの幅方向の両側に設けられている場合は、リード線通過部が保護シート(１)上のデバイス幅方向の中央部に形成されていれば、デバイスから突出するリード線(３)(３)の長さはバラ付きが少なく、略一定となる。これにより、リード線(３)の先端部を他の回路部品に取り付ける際の作業性を改善することができる。
即ち、１枚の保護シート(１)にて、リード線(３)の断線からの保護と、整形後のリード線(３)の長さのバラ付きを抑えることができる。
【発明を実施するための最良の形態】
【０００７】
以下、本発明の一実施例を図面を用いて詳述する。
図１は、本例に係わるデジタルカメラの分解斜視図であり、上下を逆にして示す。キャビネット(２)は、第１キャビネット半体(20)と第２キャビネット半体(21)を合わせて構成され、両キャビネット半体(20)(21)間に液晶パネルユニット(４)及び回路基板(５)が収納される。第２キャビネット半体(21)に開設された透孔(22)に液晶パネルユニット(４)が嵌まり、該液晶パネルユニット(４)は回路基板(５)に接続される。
図２は、液晶パネルユニット(４)の正面図であり、図３はその分解図である。従来と同様に液晶パネル(40)は枠体(41)に取り付けられ、該枠体(41)上にて液晶パネル(40)の反対側に保護シート(１)が貼り付けられる。液晶パネル(40)の一端部両側からは、先端部にソケット(30)を設けたリード線(３)(３)が設けられ、該リード線(３)(３)は枠体(41)の隅部に設けられた第１切欠き(44)(44)から延びる。
【０００８】
保護シート(１)は絶縁性のプラスチック製であり、液晶パネル(40)の幅方向の中央部に対応して、円弧状のスリット(12)を形成し、該スリット(12)の両側方に縦長の溝孔(13)(13)を開設している。保護シート(１)上で、両溝孔(13)(13)の内側を第１片(10)とし、他の部分を第２片(11)とする。第１片(10)は、スリット(12)の両端部の外側を境界線Ｌとして、第２片(11)から曲げ起こし可能である。
保護シート(１)の裏には、粘着材が塗布されて、第１片(10)及び第２片(11)の夫々の裏面に剥離紙(図示せず)が貼られている。
第２片(11)の隅部には、枠体(41)の第１切欠き(44)(44)に被さる第２切欠き(14)(14)が開設され、保護シート(１)が枠体(41)に貼り付けられた状態で、リード線(３)は第２切欠き(14)(14)のエッジに当たる。保護シート(１)はプラスチック製であるから、リード線(３)が第２切欠き(14)(14)のエッジに当たっても、リード線(３)は断線しない。これによって、リード線(３)を保護している。
【０００９】
(保護シートの取り付け)
以下に、保護シート(１)を枠体(41)に取り付ける手順を示す。
先ず、図４に示すように、液晶パネル(40)を下向きにして枠体(41)を設け、枠体(41)の上方に保護シート(１)を配備する。保護シート(１)の第１片(10)を境界線Ｌを中心として第２片(11)から曲げ起こす。スリット(12)が第２片(11)から離れ、リード線(３)及びソケット(30)が通過可能な開口(15)となる。
次に、保護シート(１)の第２片(11)の剥離紙を剥がして、図５に示すように、第２片(11)を枠体(41)上に貼り付ける。前記の如く、第２片(11)の第２切欠き(14)のエッジにリード線(３)が当接する。この後に、ソケット(30)及びリード線(３)の先端部をリード線通過部を形成する開口(15)に通して、リード線(３)を引っ張る。
次に、第１片(10)の剥離紙を剥がして、第１片(10)を倒し、枠体(41)上に貼り付ける。リード線(３)は枠体(41)上に貼り付けられ、図２に示すように、リード線(３)の整形が完了する。リード線(３)は枠体(41)上に貼り付けられることにより、不用意に動くことはない。
【００１０】
(本例の効果)
１．リード線通過部となるスリット(12)が、保護シート(１)上にて液晶パネル(40)の幅方向の中央部に形成されているから、液晶パネル(40)から延びた整形後のリード線(３)(３)の長さはバラ付きが少なく、略一定となる。これにより、リード線(３)の先端部を他の回路部品に取り付ける際の作業性を改善することができる。
２．また、保護シート(１)の第２切欠き(14)のエッジをリード線(３)に当ててリード線(３)を保護しているとともに、保護シート(１)にてリード線(３)を枠体(41)上に貼り付け、取りまとめている。即ち、１枚の保護シート(１)にて、リード線(３)の断線からの保護と、リード線(３)の取りまとめを行うことができる。
３．また、第１片(10)と第２片(11)の夫々の裏面に剥離紙を貼り付けることにより、第２片(11)を貼り付けた後に、第１片(10)を貼り付ける際の作業性がよい。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例にあっては、リード線(３)を具えたデバイスとして、液晶パネル(40)を例示したが、これに限定されず、リード線(３)を具えた電気部品ならばよい。
【図面の簡単な説明】
【００１２】
【図１】本例に係わるデジタルカメラの分解斜視図であり、上下を逆にして示す。
【図２】液晶パネルユニットの正面図である。
【図３】図２の分解図である。
【図４】保護シートを貼り付ける手順を示す斜視図である。
【図５】保護シートを貼り付ける手順を示す斜視図である。
【図６】従来のデジタルカメラの分解斜視図である。
【符号の説明】
【００１３】
(１)  保護シート
(３)  リード線
(10)  第１片
(11)  第２片
(12)  スリット
(40)  液晶パネル
【図１】
2006115372.tif 000003
【図２】
2006115372.tif 000004
【図３】
2006115372.tif 000005
【図４】
2006115372.tif 000006
【図５】
2006115372.tif 000007
【図６】
2006115372.tif 000008